(57)【要約】【課題】ダウンロードされた音楽データの音楽名やアーティスト名などの紹介情報を当該音楽データを聴く際に再確認することができる通信方法及び、通信システム、サーバ、クライアント、プログラムを提供すること。【解決手段】サーバ側では、音楽用記憶媒体４１から「音楽Ｆ」の音楽データ５１Ｆを読み出すとともに紹介音声用記憶媒体４２から「紹介音声Ｂ／スポンサーＹ」の音声データ６０である紹介音声データ６２Ｂと広告音声データ６４Ｂとを読み出し、転送ファイル作成用記憶媒体４３において、「紹介音声Ｂ／スポンサーＹ」の音声データ６０である紹介音声データ６２Ｂと広告音声データ６４Ｂとを「音楽Ｆ」の音楽データ５１Ｆの先頭に併合させた転送ファイル７１を作成する。その制作された転送ファイル７１はサーバ側からクライアント側にダウンロードされる。【選択図】図５
2007108375.tif 000002
【特許請求の範囲】
【請求項１】
ネットワークを介してサーバ側からクライアント側に音楽データが転送される通信方法であって、
前記サーバ側から前記クライアント側に提供される音楽選択用画面上の選択メニューに従って、複数の音楽データから転送対象の音楽データを前記クライアント側で選択する音楽選択処理と、
前記音楽選択用画面にて転送対象の音楽データが選択されたことを契機にして前記サーバ側から前記クライアント側に提供されるＤＪ選択用画面上の選択メニューに従って、当該転送対象の音楽データを題材にして制作された複数の紹介音声データから所望の紹介音声データを前記クライアント側で選択するＤＪ選択処理と、
前記音楽選択処理で選択された音楽データに前記ＤＪ選択処理で選択された紹介音声データが結合した転送ファイルを前記サーバ側で制作する結合処理と、
前記結合処理で制作された転送ファイルを前記サーバ側から前記クライアント側にダウンロードさせる転送処理と、を備えたこと、を特徴とする通信方法。
【請求項２】
請求項１に記載する通信方法であって、
前記ＤＪ選択用画面上の選択メニューには各紹介音声データのスポンサーの名称が表示されるとともに、各紹介音声データには当該紹介音声データのスポンサーに関する広告音声データが付加されていること、を特徴とする通信方法。
【請求項３】
請求項１又は請求項２に記載する通信方法であって、
各紹介音声データには副音楽データと当該副音楽データについての副紹介音声データとが付加されていること、を特徴とする通信方法。
【請求項４】
請求項１乃至請求項３のいずれか一つに記載する通信方法を実施するサーバ及びクライアントがネットワークを介して接続されていることを特徴とする通信システム。
【請求項５】
請求項１乃至請求項３のいずれか一つに記載する通信方法をネットワークを介して接続されているクライアントとともに実施することを特徴とするサーバ。
【請求項６】
請求項１乃至請求項３のいずれか一つに記載する通信方法をネットワークを介して接続されているサーバとともに実施することを特徴とするクライアント。
【請求項７】
請求項１乃至請求項３のいずれか一つに記載するサーバとしてコンピュータを機能させることを特徴とするプログラム。
【発明の詳細な説明】
【技術分野】
【０００１】
本発明は、ネットワークを介して音楽データが転送される通信方法及び、通信システム、サーバ、クライアント、プログラムに関するものである。
【背景技術】
【０００２】
従来、アーティストなどが歌唱・演奏した音楽を購入する場合、レコード・ＣＤ・ＤＶＤといった物理的な形式の媒体を介して行われていたが、近年では、通信技術の発達に伴って、Ｗｅｂコンテンツの側で保存されている音楽データを自己の記憶領域にダウンロードさせる音楽配信サービスが行われている。
【０００３】
そして、音楽配信サービスによっては、ダウンロードさせる音楽データに広告データを含ませることによって、無料又は割引料金で音楽データを提供している（特許文献１、特許文献２、特許文献３、特許文献４参照）。
【特許文献１】特開２００１−１８８７３５号公報
【特許文献２】特開２００１−２７３４０５号公報
【特許文献３】特開２００２−２２９３５７３号公報
【特許文献４】特開２００１−７６９１２号公報
【発明の開示】
【発明が解決しようとする課題】
【０００４】
しかしながら、音楽配信サービスで音楽データをダウンロードして音楽を購入する際には、Ｗｅｂコンテンツ上でその音楽データの音楽名やアーティスト名を確認して行うものの、音楽データがひとたび自己の記憶領域にダウンロードされてしまうと、ダウンロードされた音楽データの音楽名やアーティスト名は当該音楽データのファイル名として残されるだけであって、ファイル名を表示できない端末で音楽データを再生する場合には、再生された音楽データの音楽名やアーティスト名を改めて確認することは困難であった。
【０００５】
そこで、本発明は、上述した点を鑑みてなされたものであり、ダウンロードされた音楽データの音楽名やアーティスト名などの紹介情報を当該音楽データを聴く際に再確認することができる通信方法及び、通信システム、サーバ、クライアント、プログラムを提供することを課題とする。
【課題を解決するための手段】
【０００６】
この課題を解決するために成された請求項１に係る発明は、ネットワーク（例えば、ネットワークＮ）を介してサーバ（例えば、サーバ２）側からクライアント（例えば、クライアント３）側に音楽データ（例えば、音楽データ５１）が転送される通信方法であって、前記サーバ（例えば、サーバ２）側から前記クライアント（例えば、クライアント３）側に提供される音楽選択用画面（例えば、音楽選択用画面Ｐ１）上の選択メニューに従って、複数の音楽データ（例えば、音楽データ５１）から転送対象の音楽データ（例えば、音楽データ５１Ｆ）を前記クライアント（例えば、クライアント３）側で選択する音楽選択処理（例えば、Ｓ１２）と、前記音楽選択用画面（例えば、音楽選択用画面Ｐ１）にて転送対象の音楽データ（例えば、音楽データ５１Ｆ）が選択されたことを契機にして前記サーバ（例えば、サーバ２）側から前記クライアント（例えば、クライアント３）側に提供されるＤＪ選択用画面（例えば、ＤＪ選択用画面Ｐ２）上の選択メニューに従って、当該転送対象の音楽データ（例えば、音楽データ５１Ｆ）を題材にして制作された複数の紹介音声データ（例えば、紹介音声データ６２）から所望の紹介音声データ（例えば、紹介音声データ６２Ｂ）を前記クライアント（例えば、クライアント３）側で選択するＤＪ選択処理（例えば、Ｓ１４）と、前記音楽選択処理（例えば、Ｓ１２）で選択された音楽データに（例えば、音楽データ５１Ｆ）前記ＤＪ選択処理（例えば、Ｓ１４）で選択された紹介音声データ（例えば、紹介音声データ６２Ｂ）が結合した転送ファイル（例えば、転送ファイル７１）を前記サーバ（例えば、サーバ２）側で制作する結合処理（例えば、Ｓ１６）と、前記結合処理（例えば、Ｓ１６）で制作された転送ファイル（例えば、転送ファイル７１）を前記サーバ側（例えば、サーバ２）から前記クライアント側（例えば、クライアント３）にダウンロードさせる転送処理（例えば、Ｓ１７）と、を備えたこと、を特徴としている。
【０００７】
また、請求項２に係る発明は、請求項１に記載する通信方法であって、前記ＤＪ選択用画面（例えば、ＤＪ選択用画面Ｐ２）上の選択メニューには各紹介音声データ（例えば、紹介音声データ６１，６２）のスポンサーの名称が表示されるとともに、各紹介音声データ（例えば、紹介音声データ６１，６２）には当該紹介音声データ（例えば、紹介音声データ６１，６２）のスポンサーに関する広告音声データ（例えば、広告音声データ６４）が付加されていること、を特徴としている。
【０００８】
また、請求項３に係る発明は、請求項１又は請求項２に記載する通信方法であって、各紹介音声データ（例えば、紹介音声データ６１，６２）には副音楽データ（例えば、副音楽データ６６）と当該副音楽データ（例えば、副音楽データ６６）についての副紹介音声データ（例えば、副紹介音声データ６５）とが付加されていること、を特徴としている。
【０００９】
また、請求項４に係る発明は、通信システム（例えば、通信システム１）であって、請求項１乃至請求項３のいずれか一つに記載する通信方法を実施するサーバ（例えば、サーバ２）及びクライアント（例えば、クライアント３）がネットワーク（例えば、ネットワークＮ）を介して接続されていることを特徴としている。
【００１０】
また、請求項５に係る発明は、サーバ（例えば、サーバ２）であって、請求項１乃至請求項３のいずれか一つに記載する通信方法をネットワーク（例えば、ネットワークＮ）を介して接続されているクライアント（例えば、クライアント３）とともに実施することを特徴としている。
【００１１】
また、請求項６に係る発明は、クライアント（例えば、クライアント３）であって、請求項１乃至請求項３のいずれか一つに記載する通信方法をネットワーク（例えば、ネットワークＮ）を介して接続されているサーバ（例えば、サーバ２）とともに実施することを特徴としている。
【００１２】
また、請求項７に係る発明は、プログラムであって、請求項１乃至請求項３のいずれか一つに記載するサーバ（例えば、サーバ２）としてコンピュータを機能させることを特徴としている。
【発明の効果】
【００１３】
すなわち、本発明の通信方法及び、通信システム、サーバ、クライアント、プログラムでは、サーバ側で提供された複数の音楽データからクライアント側が転送対象として選択した音楽データに対し、サーバ側で提供された当該音楽データを題材にして制作された複数の紹介音声データからクライアント側が選択した所望の紹介音声データが結合されることにより、サーバ側で転送ファイルが制作され、さらに、その制作された転送ファイルがサーバ側からクライアント側にダウンロードされており、サーバ側からダウンロードされた転送ファイルをクライアント側で再生すれば、音楽データと紹介音声データとが連続して再生されることから、ダウンロードされた音楽データの音楽名やアーティスト名などの紹介情報を紹介音声データの再生によって当該音楽データを聴く際に再確認することができる。
【発明を実施するための最良の形態】
【００１４】
以下、本発明の実施の形態を図面を参照にして説明する。図２は、本発明の通信方法を具現化した通信システム１の概要を示したブロック図である。図２に示すように、通信システム１では、サーバ２側のコンピュータと複数のクライアント３側のパーソナル・コンピュータとがネットワークＮを介して接続されている。また、各クライアント３側は、パーソナル・コンピュータの本体１１と、マウス１２、ディスプレイ１３、キーボード１４などから構成されている。
【００１５】
尚、ネットワークＮは、様々な形式のものがあるが、ここでは、説明の便宜上、ＷＷＷ（Ｗｏｒｌｄ  Ｗｉｄｅ  Ｗｅｂ）とする。
【００１６】
そして、図２に示す通信システム１では、サーバ２側にて音楽配信サービスを提供しており、クライアント３側からサーバ２側にアクセスすると、サーバ２側のＷｅｂページ上でクライアント３側が選択した音楽を有料で当該クライアント３側に配信させることができる。特に、この音楽配信サービスにおいては、配信される音楽とともに、当該音楽の名称や当該音楽を歌唱・演奏するアーティストの名称などを伝える紹介音声やスポンサーの広告音声も一緒に配信され、その紹介音声や広告音声についても、サーバ２側のＷｅｂページ上でクライアント３側が選択することができる。
【００１７】
尚、配信される音楽・紹介音声・広告音声についてのファイルについては、例えば、ＭＰ３などの音声圧縮方式を利用してもよい。
【００１８】
次に、サーバ２側にて提供する音楽配信サービスのプログラムについて説明する。図１は、サーバ２側にて提供する音楽配信サービスのプログラムのフローチャート図である。図１に示すように、先ず、Ｓ１１のログインにおいて、クライアント３側からサーバ２側に接続されると、サーバ２側のＷｅｂページ上にてユーザＩＤやパスワードなどの登録・照合などが行われ、その後に、Ｓ１２に進む。
【００１９】
Ｓ１２の音楽選択では、例えば、図３に示すように、クライアント３側のディスプレイ１３において、サーバ２側のＷｅｂページである音楽選択用画面Ｐ１が表示される。
【００２０】
この音楽選択用画面Ｐ１においては、配信可能な音楽の名称がそれぞれ一つずつ記載された複数の音楽指定ボタン２１や、前頁ボタン２２、次頁ボタン２３、視聴ボタン２４、選択ボタン２５などが表示される。
【００２１】
この点、音楽選択用画面Ｐ１は、複数頁が用意されており、前頁ボタン２２又は次頁ボタン２３をクライアント３側で実行操作すれば、前頁又は次頁に移行することができる。尚、最初の頁が表示されている場合には次頁ボタン２３のみが表示され、最後の頁が表示されている場合には前頁ボタン２２のみが表示される。また、複数頁が準備されていなければ、前頁ボタン２２及び次頁ボタン２３は表示されない。
【００２２】
また、音楽選択用画面Ｐ１において、音楽指定ボタン２１の１つをクライアント３側で指定操作し、さらに、視聴ボタン２４をクライアント３側で実行操作すれば、当該音楽指定ボタン２１に名称が表示された音楽の一部がクライアント３側にて出力される。一方、音楽指定ボタン２１の１つをクライアント３側で指定操作し、さらに、選択ボタン２５をクライアント３側で実行操作すれば、当該音楽指定ボタン２１に名称が表示された音楽をクライアント３側で選択することができる。
【００２３】
そして、この音楽選択用画面Ｐ１は、クライアント３側で音楽が選択されるまで表示され（Ｓ１３：ＮＯ）、クライアント３側で音楽が選択されると（Ｓ１３：ＹＥＳ）、Ｓ１４に進む。
【００２４】
Ｓ１４のＤＪ選択では、例えば、図４に示すように、クライアント３側のディスプレイ１３において、サーバ２側のＷｅｂページであるＤＪ選択用画面Ｐ２が表示される。
【００２５】
ＤＪ選択用画面Ｐ２においては、上記Ｓ１２にて選択された音楽の名称が表示された表示枠３１や、当該音楽についての紹介音声の名称及び、スポンサーの名称、割引料金がそれぞれ記載された複数のＤＪ指定ボタン３２、視聴ボタン３３、選択ボタン３４、スキップボタン３５などが表示される。
【００２６】
この点、ＤＪ選択用画面Ｐ２は、図３の音楽選択用画面Ｐ１（上記Ｓ１２）で選択し得る全ての音楽に対しサーバ２側で用意されている。
【００２７】
また、ＤＪ選択用画面Ｐ２において、ＤＪ指定ボタン３２の１つをクライアント３側で指定操作し、さらに、視聴ボタン３３をクライアント３側で実行操作すれば、当該ＤＪ指定ボタン３２に名称が表示された紹介音声の一部及びスポンサーの広告音声の一部がクライアント３側にて出力される。一方、ＤＪ指定ボタン３２の１つをクライアント３側で指定操作し、さらに、選択ボタン３４をクライアント３側で実行操作すれば、当該ＤＪ指定ボタン３２に名称が表示された紹介音声及びスポンサーの広告音声をクライアント３側で選択することができる。
【００２８】
尚、図４に示されたＤＪ選択用画面Ｐ２は、図３の音楽選択用画面Ｐ１（上記Ｓ１２）で「音楽Ｆ」を選択した際にジャンプして表示されるＷｅｂページの一例である。
【００２９】
そして、ＤＪ選択用画面Ｐ２においては、スキップボタン３５をクライアント３側で実行操作すれば、クライアント３側で紹介音声及びスポンサーの広告音声を選択しないことが可能である（Ｓ１５：ＮＯ）。その一方で、スキップボタン３５をクライアント３側で実行操作しない状態が続くと（Ｓ１５：ＹＥＳ）、Ｓ１６に進む。
【００３０】
Ｓ１６に進むと、ＤＪ選択用画面Ｐ２はクライアント３側で紹介音声及びスポンサーの広告音声が選択されるまで表示され（Ｓ１６：ＮＯ）、クライアント３側で紹介音声及びスポンサーの広告音声が選択されると（Ｓ１６：ＹＥＳ）、Ｓ１７に進む。
【００３１】
Ｓ１７では、サーバ２側のＷｅｂページ上にてクライアント３側に対する決済が行われ、Ｓ１８に進む。
【００３２】
Ｓ１８では、上記Ｓ１２でクライアント３側が選択した音楽に対し上記Ｓ１４でクライアント３側が選択した紹介音声及びスポンサーの広告音声を結合させた転送ファイルをサーバ２側で作成し、Ｓ１９に進む。
【００３３】
Ｓ１９では、上記Ｓ１８でサーバ２側が作成した転送ファイルをクライアント３側にダウンロードし、その後は、Ｓ２０のログアウトに進んで、クライアント３側とサーバ２側の接続を切断する。
【００３４】
尚、ＤＪ選択用画面Ｐ２において、スキップボタン３５をクライアント３側で実行操作して、クライアント３側が紹介音声及びスポンサーの広告音声を選択しなければ（Ｓ１５：ＮＯ）、Ｓ３１で決済を行った後、Ｓ３２に進んで、上記Ｓ１２でクライアント３側が選択した音楽の音楽データのみを当該クライアント３側にサーバ２側からダウンロードし、さらに、その後は、Ｓ３３のログアウトに進んで、クライアント３側とサーバ２側の接続を切断する。
【００３５】
よって、この音楽配信サービスでは、配信される音楽とともに、当該音楽の名称や当該音楽を歌唱・演奏するアーティストの名称などを伝える紹介音声やスポンサーの広告音声も一緒に配信される一方で、紹介音声や広告音声の配信をクライアント３側の選択で拒否することも可能である。
【００３６】
次に、サーバ２側で作成される転送ファイルについて説明する。図５は、サーバ２側で作成される転送ファイルについての説明図である。図５に示すように、サーバ２側のコンピュータにおいては、音楽用記憶媒体４１や、紹介音声用記憶媒体４２、転送ファイル作成用記憶媒体４３などが設けられている。
【００３７】
この点、音楽用記憶媒体４１には、クライアント３側に配信することが可能な各音楽の音楽データ５１が記憶されている。また、紹介音声用記憶媒体４２には、紹介音声データ６１，６２と広告音声データ６３，６４とが併合された音声データ６０が音楽毎に整理されて記憶されている。
【００３８】
そして、上記Ｓ１８において、上記Ｓ１２でクライアント３側が選択した音楽に対し上記Ｓ１４でクライアント３側が選択した紹介音声及びスポンサーの広告音声を結合させた転送ファイルをサーバ２側で作成する場合、例えば、図３の音楽選択用画面Ｐ１（上記Ｓ１２）で「音楽Ｆ」を選択し、さらに、図４のＤＪ選択用画面Ｐ２（上記Ｓ１４）で「紹介音声Ｂ／スポンサーＹ」を選択したときには、音楽用記憶媒体４１から「音楽Ｆ」の音楽データ５１Ｆを読み出すとともに紹介音声用記憶媒体４２から「紹介音声Ｂ／スポンサーＹ」の音声データ６０である紹介音声データ６２Ｂと広告音声データ６４Ｂとを読み出し、転送ファイル作成用記憶媒体４３において、「紹介音声Ｂ／スポンサーＹ」の音声データ６０である紹介音声データ６２Ｂと広告音声データ６４Ｂとを「音楽Ｆ」の音楽データ５１Ｆの先頭に結合させた転送ファイル７１を作成する。
【００３９】
従って、サーバ２側から作成された転送ファイル７１をクライアント３側で再生すると、先ず、「紹介音声Ｂ／スポンサーＹ」の紹介音声データ６２Ｂと広告音声データ６４Ｂとが再生されて、「音楽Ｆ」の名称やそのアーティストの名称などが音声で伝えられるとともに「スポンサーＹ」の広告が音声で伝えられ、その直後からは、「音楽Ｆ」の音楽データ５１Ｆが再生されて、「音楽Ｆ」が出力される。
【００４０】
尚、上記Ｓ１７での決済においては、上記Ｓ１２でクライアント３側が選択した音楽をサーバ２側からクライアント３側に配信されることに対する支払が行われるが、この点、配信される音楽には、上記Ｓ１４でクライアント３側が選択したスポンサーの広告音声が付加されており、サーバ２側から配信された音楽をクライアント３側で出力する際にはスポンサーの広告が音声で伝えられることから、当該スポンサーによる割引をクライアント３側が受けることができる。
【００４１】
その割引額については、図４に示すように、ＤＪ選択用画面Ｐ２の各ＤＪ指定ボタン３２内に表示されているが、割引額の金額はスポンサーの出資額に応じて設定される。よって、各スポンサーに対しては、自己の広告音声を多くのクライアント３に聴いてもらって宣伝効果を高めることを望むことから、割引額の金額を大きくする経営努力を促させたり、自己の広告音声に併合される紹介音声を魅力的なものにしようとする向上意識を促させることになる。
【００４２】
以上詳細に説明したように、本実施の形態において、通信システム１内でクライアント３側がサーバ２側にアクセスして音楽配信サービスを受ける場合に、例えば、サーバ２側のＷｅｂページである音楽選択用画面Ｐ１（上記Ｓ１２）でクライアント３側が「音楽Ｆ」を選択し、さらに、サーバ２側のＷｅｂページであるＤＪ選択用画面Ｐ２（上記Ｓ１４）でクライアント３側が「紹介音声Ｂ／スポンサーＹ」を選択したとすると、サーバ２側では、音楽用記憶媒体４１から「音楽Ｆ」の音楽データ５１Ｆを読み出すとともに紹介音声用記憶媒体４２から「紹介音声Ｂ／スポンサーＹ」の音声データ６０である紹介音声データ６２Ｂと広告音声データ６４Ｂとを読み出し、転送ファイル作成用記憶媒体４３において、「紹介音声Ｂ／スポンサーＹ」の音声データ６０である紹介音声データ６２Ｂと広告音声データ６４Ｂとを「音楽Ｆ」の音楽データ５１Ｆの先頭に併合させた転送ファイル７１を作成する。さらに、その制作された転送ファイル７１はサーバ側２からクライアント３側にダウンロードされる（上記Ｓ１９）。よって、サーバ２側からダウンロードされた転送ファイル７１をクライアント３側で再生すれば、先ず、「紹介音声Ｂ／スポンサーＹ」の紹介音声データ６２Ｂと広告音声データ６４Ｂとが再生されて、「音楽Ｆ」の名称やそのアーティストの名称などが音声で伝えられるとともに「スポンサーＹ」の広告が音声で伝えられ、その直後からは、「音楽Ｆ」の音楽データ５１Ｆが再生されて、「音楽Ｆ」が出力されることから、ダウンロードされた音楽の名称やそのアーティストの名称などの紹介情報を当該音楽を聴く際に再確認することができる。
【００４３】
特に、サーバ２側からクライアント３側にダウンロードされた転送ファイル７１をディスプレイ機能のない端末で再生させる場合には、転送ファイル７１内の「音楽Ｆ」の名称やそのアーティストの名称などは、転送ファイル７１内の「紹介音声Ｂ／スポンサーＹ」の紹介音声データ６２Ｂが再生され、「音楽Ｆ」の名称やそのアーティストの名称などが音声で伝えられることによってしか知ることができない。従って、ダウンロードされた音楽の名称やそのアーティストの名称などの紹介情報を当該音楽を聴く際に再確認することができるのは、ディスプレイ機能のない端末での再生時により有効となる。
【００４４】
尚、サーバ２側からクライアント３側にダウンロードされた転送ファイル７１をクライアント３側のパーソナル・コンピュータから上記端末に複製することができない場合には、クライアント３側のパーソナル・コンピュータに上記端末を接続し、クライアント３側のパーソナル・コンピュータを介して、サーバ２側からクライアント３側の上記端末に転送ファイル７１を直接ダウンロードさせる。
【００４５】
また、本実施の形態では、音楽のみを聴く場合とは異なり、その音楽の名称やそのアーティストの名称などが、紹介音声として、その音楽が出力される直前に音声で伝えられるので、その音楽の鑑賞時の雰囲気にメリハリを与えることができる。また、その紹介音声については、サーバ２側で複数用意されており、サーバ２側のＷｅｂページであるＤＪ選択用画面Ｐ２（上記Ｓ１４）にてクライアント３側が自由に試聴しながら選択できることから、クライアント３側が好む雰囲気で音楽を鑑賞することができる。
もっとも、類似した音楽鑑賞の形態として、ＦＭ放送等の鑑賞があるが、ＦＭ放送等では所望の音楽を録音するには放送時間に合わせた録音操作が必要となるし、生放送を楽しむにしても、地下鉄などの電波が届かない場所に移動すると不可能になってしまう不便さがある。
【００４６】
尚、紹介音声の内容は、音楽の名称やそのアーティストの名称の他に、季節の挨拶や、時事の出来事のコメント、ＢＧＭなどが含まれていてもよいし、また、紹介音声の声は、ラジオ番組等で活躍する専門のディスク−ジョッキーの声であってもよいし、素人の声であってもよい。
【００４７】
尚、本発明は上記実施の形態に限定されるものでなく、その趣旨を逸脱しない範囲で様々な変更が可能である。
例えば、本実施形態では、図５に示すように、サーバ２側の紹介音声用記憶媒体４２において、紹介音声データ６１，６２と広告音声データ６３，６４とが併合された音声データ６０が音楽毎に整理されて記憶されていた。この点、サーバ２側の紹介音声用記憶媒体４２にて音楽毎に整理されて記憶される音声データ６０については、紹介音声データや広告音声データからなる音声データ６０に加えて、図６に示すように、副紹介音声データ６５と副音楽データ６６とを併合させ、さらに、サーバ２側の転送ファイル作成用記憶媒体４３においては、例えば、図７に示すように、音声データ６０の紹介音声データ、音声データ６０の広告音声データ、音楽データ５１、副紹介音声データ６５、副音楽データ６６の順で結合させた転送ファイル７２を作成してもよい。
【００４８】
この場合、副音楽データ６６は、サーバ２側のＷｅｂページである音楽選択用画面Ｐ１（上記Ｓ１２）でクライアント３側が選択した音楽に付属する副音楽として、例えば、音楽データ５１の音楽を歌唱・演奏するアーティストが推薦する音楽の音楽データや、従来のレコードのＢ面に録音された音楽の音楽データなどとし、さらに、副紹介音声データ６５は、副音楽データ６６の音楽の名称やそのアーティストの名称などの音声データとする。
【００４９】
よって、サーバ２側から作成された転送ファイル７２をクライアント３側で再生すると、先ず、音声データ６０の紹介音声データと音声データ６０の広告音声データとが再生されて、配信された音楽の名称やそのアーティストの名称などが音声で伝えられるとともに広告が音声で伝えられ、その直後からは、音楽データ５１が再生されて、配信された音楽が出力される。さらに、音楽データ５１の再生が終了すると、その直後からは、副紹介音声データ６５が再生され、配信された音楽に付属する副音楽の名称やそのアーティストの名称などが音声で伝えられ、その直後からは、副音楽データ６６が再生されて、配信された音楽に付属する副音楽が出力される。従って、クライアント３側に対し、広告音声データの再生に伴う割引メリットを与えつつ当該副音楽を聴かせることができ、よって、当該副音楽が流行する契機を作り出すこともできる。
【産業上の利用可能性】
【００５０】
本発明は、クライアントが選択した音楽の音楽データを当該クライアントにサーバがダウンロードする際の技術に適用し得る。
【図面の簡単な説明】
【００５１】
【図１】サーバ側にて提供する音楽配信サービスのプログラムのフローチャート図である。
【図２】本発明の通信方法を具現化した通信システムの概要を示したブロック図である。
【図３】サーバ側のＷｅｂページである音楽選択用画面を示した図である。
【図４】サーバ側のＷｅｂページであるＤＪ選択用画面を示した図である。
【図５】サーバ側で作成される転送ファイルについての説明図である。
【図６】音声データの変形例を示した図である。
【図７】転送ファイルの変形例を示した図である。
【符号の説明】
【００５２】
１  通信システム
２  サーバ
３  クライアント
５１  音楽データ
６１，６２  紹介音声データ
６３，６４  広告音声データ
６５  副紹介音声データ
６６  副音楽データ
７１，７２  転送ファイル
Ｎ  ネットワーク
Ｐ１  音楽選択用画面
Ｐ２  ＤＪ選択用画面
【図１】
2007108375.tif 000003
【図２】
2007108375.tif 000004
【図３】
2007108375.tif 000005
【図４】
2007108375.tif 000006
【図５】
2007108375.tif 000007
【図６】
2007108375.tif 000008
【図７】
2007108375.tif 000009